(57)【特許請求の範囲】
【請求項１】
所望のクロック周波数に所定の偏差を加えた周波数の回転因子（「ｃｏｓ成分」または「−ｓｉｎ成分」）を作成する回転因子作成手段と、
入力信号に対して前記回転因子を乗算することにより相関処理を行う相関処理手段と、
前記相関処理実行後の信号の雑音成分を除去する雑音成分除去手段と、
前記雑音成分除去後の信号に対して前記回転因子を乗算することにより逆変調を行う逆変調手段と、
前記逆変調後の信号に基づいてクロック信号を再生するクロック再生手段と、
を備えることを特徴とするクロック再生回路。
【請求項２】
所望のクロック周波数に所定の偏差を加えた周波数の回転因子（「ｃｏｓ成分」または「−ｓｉｎ成分」）を作成する回転因子作成手段と、
入力信号に対して前記回転因子を乗算することにより相関処理を行う相関処理手段と、
前記相関処理実行後の信号の雑音成分を除去する雑音成分除去手段と、
前記雑音成分除去後の信号に対して前記回転因子を乗算することにより逆変調を行う逆変調手段と、
前記逆変調後の信号に基づいてクロック信号を再生するクロック再生手段と、
前記雑音成分除去後信号の電力を算出する電力算出手段と、
の組み合わせを複数備え、
前記各回転因子作成手段が所望のクロック周波数にそれぞれ異なる偏差（偏差＝０の場合も含む）を加えた周波数の回転因子を作成し、
前記各電力算出手段にて算出された電力の中から最大電力を検出し、当該最大電力となる前記雑音成分除去後信号に対応する再生クロック信号を出力することを特徴とするクロック再生回路。
【請求項３】
所望のクロック周波数に所定の偏差を加えた周波数の回転因子（「ｃｏｓ成分」または「−ｓｉｎ成分」）を作成する第１の回転因子作成手段と、
入力信号に対して前記回転因子を乗算することにより相関処理を行う第１の相関処理手段と、
前記相関処理実行後の信号の雑音成分を除去する第１の雑音成分除去手段と、
前記雑音成分除去後の信号に対して前記回転因子を乗算することにより逆変調を行う逆変調手段と、
前記逆変調後の信号に基づいてクロック信号を再生するクロック再生手段と、
を備え、
さらに、
所望のクロック周波数にそれぞれ異なる偏差（偏差＝０の場合も含む）を加えた複数の周波数の回転因子を作成する第２の回転因子作成手段と、
入力信号に対して各回転因子を個別に乗算することにより相関処理を行う第２の相関処理手段と、
前記各相関処理実行後の信号の雑音成分を個別に除去する第２の雑音成分除去手段と、
前記各雑音成分除去後の信号の電力を個別に算出する電力算出手段と、
前記電力算出手段にて算出された電力に基づいて入力信号のクロック周波数偏差を推定する周波数偏差推定手段と、
を備え、
前記第１の回転因子作成手段は、前記所定の偏差として前記推定されたクロック周波数偏差を、所望のクロック周波数に加えた周波数の回転因子を作成することを特徴とするクロック再生回路。
【請求項４】
所望のクロック周波数に所定の偏差を加えた周波数の回転因子（「ｃｏｓ成分」または「−ｓｉｎ成分」）を作成する回転因子作成ステップと、
入力信号に対して前記回転因子を乗算することにより相関処理を行う相関処理ステップと、
前記相関処理実行後の信号の雑音成分を除去する雑音成分除去ステップと、
前記雑音成分除去後の信号に対して前記回転因子を乗算することにより逆変調を行う逆変調ステップと、
前記逆変調後の信号を用いてクロック信号を再生するクロック再生ステップと、
を含むことを特徴とするクロック再生方法。
【請求項５】
所望のクロック周波数にそれぞれ異なる偏差（偏差＝０の場合も含む）を加えた複数の周波数の回転因子（「ｃｏｓ成分」または「−ｓｉｎ成分」）を作成する回転因子作成ステップと、
入力信号に対して各回転因子を個別に乗算することにより相関処理を行う相関処理ステップと、
前記各相関処理実行後の信号の雑音成分を個別に除去する雑音成分除去ステップと、
前記各雑音成分除去後の信号に対して各回転因子を個別に乗算することにより逆変調を行う逆変調ステップと、
前記各逆変調後の信号を用いて個別にクロック信号を再生するクロック再生ステップと、
前記逆変調ステップおよび前記クロック再生ステップに並行して、前記各雑音成分除去後の信号の電力を個別に算出する電力算出ステップと、
前記各電力算出ステップにて算出された電力の中から最大電力を検出し、当該最大電力となる前記雑音成分除去後信号に対応する再生クロック信号を出力するクロック信号出力ステップと、
を含むことを特徴とするクロック再生方法。
【請求項６】
所望のクロック周波数にそれぞれ異なる偏差（偏差＝０の場合も含む）を加えた複数の周波数の回転因子（「ｃｏｓ成分」または「−ｓｉｎ成分」）を作成する第１の回転因子作成ステップと、
入力信号に対して各回転因子を個別に乗算することにより相関処理を行う第１の相関処理ステップと、
前記各相関処理実行後の信号の雑音成分を個別に除去する第１の雑音成分除去ステップと、
前記各雑音成分除去後の信号の電力を個別に算出する電力算出ステップと、
前記電力算出ステップにて算出された電力に基づいて入力信号のクロック周波数偏差を推定する周波数偏差推定ステップと、
所望のクロック周波数に前記推定されたクロック周波数偏差を加えた周波数の回転因子を作成する第２の回転因子作成ステップと、
入力信号に対して前記第２の回転因子作成ステップにて作成された回転因子を乗算することにより相関処理を行う第２の相関処理ステップと、
前記第２の相関処理ステップにて相関処理実行後の信号の雑音成分を除去する第２の雑音成分除去ステップと、
前記第２の雑音成分除去ステップにて雑音成分除去後の信号に対して前記第２の回転因子作成ステップにて作成された回転因子を乗算することにより逆変調を行う逆変調ステップと、
前記逆変調後の信号に基づいてクロック信号を再生するクロック再生ステップと、
を含むことを特徴とするクロック再生方法。
【発明の詳細な説明】
【技術分野】
【０００１】
本発明は、復調装置のクロック再生回路およびクロック再生方法に関するものであり、特に、入力信号から所望のクロック信号成分を抽出して再生するクロック再生回路およびクロック再生方法に関するものである。
【背景技術】
【０００２】
従来のクロック再生回路としては、たとえば、下記特許文献１に記載された方式が提案されており、ここでは、フーリエ変換を用いて入力信号のクロックの位相成分を求め、この位相成分に対して逆変調を行うことにより、クロックを再生している。
【０００３】
以下、下記特許文献１に記載された従来のクロック再生回路を図面に基づいて説明する。図９は、従来のクロック再生回路のブロック構成を示す図であり、入力端子８１、乗算器８２，８３，８６，８７、低域通過フィルタ８４，８５、加算器８８、回転因子発生部８９、出力端子９０を備えている。図９に示すクロック再生回路において、入力端子８１から入力された信号は、本回路によって再生処理が実行され、その再生された信号が出力端子９０より出力される。なお、入力信号は、クロック成分を抽出し易いように非線形処理を施されている。また、回転因子発生部８９は、フーリエ変換を行う際に使用する回転因子（「ｃｏｓ成分」または「−ｓｉｎ成分」）を作成する。ここで、上記乗算器８２および８６は、回転因子として「ｃｏｓ成分」を使用し、これに対して上記乗算器８３および８７は、「−ｓｉｎ成分」を使用する。
【０００４】
つづいて、図９を使用して従来のクロック再生回路の動作について説明する。乗算器８２および８３は、入力端子８１から入力された信号と回転因子発生部８９が作成した回転因子を乗算し、相関処理（フーリエ変換）を行う。つぎに、乗算器８２および８３により相関処理を施された信号は、それぞれ低域通過フィルタ８４および８５に入力される。つぎに、乗算器８６および８７は、低域通過フィルタ８４および８５から出力された信号を、回転因子と乗算し、逆変調を行う。最後に、加算器８８は、上記乗算器８６および８７の乗算結果を加算し、当該加算結果を再生クロックとして出力端子９０から出力する。
【０００５】
ここで、入力信号のサンプリング周波数をｆｓａｍｐ、クロック周波数をｆｃｌｋとすると、回転因子のｃｏｓ成分、−ｓｉｎ成分は、それぞれ（１）式，（２）式のように表せる。
ｃｏｓ（２πｎ・ｆｃｌｋ／ｆｓａｍｐ）      ｎ＝０、１、２、…
…（１）
−ｓｉｎ（２πｎ・ｆｃｌｋ／ｆｓａｍｐ）      ｎ＝０、１、２、…
…（２）
【０００６】
したがって、入力信号をＸ（ｎ）とすると、乗算器８２の出力Ｘ１（ｎ）および乗算器８３の出力Ｘ２（ｎ）は、それぞれ（３）式，（４）式のように表せる。
Ｘ１（ｎ）＝Ｘ（ｎ）・ｃｏｓ（２πｎ・ｆｃｌｋ／ｆｓａｍｐ）
…（３）
Ｘ２（ｎ）＝Ｘ（ｎ）・｛−ｓｉｎ（２πｎ・ｆｃｌｋ／ｆｓａｍｐ）｝
…（４）
【０００７】
なお、低域通過フィルタは、下記特許文献１に記載の移動平均処理、または、忘却係数の乗算処理を含む累積加算処理、を行うことにより、回路規模の増加を抑えている。
【０００８】
【特許文献１】特開平１１−０９８２０９号公報
【発明の開示】
【発明が解決しようとする課題】
【０００９】
しかしながら、上記従来のクロック再生回路においては、所望のクロック周波数の回転因子のみを使用して相関処理および逆変調処理を行っているため、入力信号のクロック周波数に比較的大きな偏差が存在する場合、前記低域通過フィルタからの出力信号の電力が小さくなる。そのため、クロック位相が安定せず、クロックを高精度に再生できない、という問題があった。
【００１０】
本発明は、上記に鑑みてなされたものであって、周波数偏差が存在するクロック信号が入力された場合であっても高精度にクロックを再生することが可能なクロック再生回路を得ることを目的とする。
【課題を解決するための手段】
【００１１】
上述した課題を解決し、目的を達成するために、本発明にかかるクロック再生回路は、所望のクロック周波数に所定の偏差を加えた周波数の回転因子を作成する回転因子作成手段と、入力信号に対して前記回転因子を乗算することにより相関処理を行う相関処理手段と、前記相関処理実行後の信号の雑音成分を除去する雑音成分除去手段と、前記雑音成分除去後の信号に対して前記回転因子を乗算することにより逆変調を行う逆変調手段と、前記逆変調後の信号に基づいてクロック信号を再生するクロック再生手段と、を備えることを特徴とする。
【発明の効果】
【００１２】
この発明によれば、たとえば、クロック周波数偏差δを加えた周波数の回転因子を用いてクロック再生処理を行うこととした。これにより、周波数偏差δを有する入力信号に対して高精度にクロックを再生することができる、という効果を奏する。
【発明を実施するための最良の形態】
【００１３】
以下に、本発明にかかるクロック再生回路の実施の形態を図面に基づいて詳細に説明する。なお、この実施の形態によりこの発明が限定されるものではない。また、通常、クロック再生回路は、クロック成分を抽出しやすいように入力信号（受信信号）に対して非線形処理を行っているが、非線形処理回路の有無については本発明の効果に対して何ら影響を与えるものではないので、以下の実施の形態においては非線形処理回路に関する説明を省略する。以下の実施の形態では、非線形処理回路からの出力信号を単に「入力信号」と表現する。また、雑音除去フィルタは、一般的には平均化フィルタを用いることから、以下の実施の形態においては「平均化フィルタ」と表現する。
【００１４】
実施の形態１．
図１は、本発明にかかるクロック再生回路の実施の形態１の構成例を示す図である。本実施の形態のクロック再生回路は、入力端子１，相関処理部２１，平均化処理部２２，逆変調処理部２３，加算器８，偏差付回転因子発生部９，出力端子１１を備えている。また、上記相関処理部２１は、乗算器２および３を備え、平均化処理部２２は、平均化フィルタ４および５を備え、逆変調処理部２３は、乗算器６および７を備えている。ここで、本発明の特徴である偏差付回転因子発生部９は、フーリエ変換を行う際に使用する回転因子（「ｃｏｓ成分」または「−ｓｉｎ成分」）を作成するにあたり、入力信号の周波数偏差（δ）を考慮して処理を実行する（以下、本実施の形態においては、偏差付回転因子発生部９が作成した回転因子を「偏差付回転因子」と呼ぶこととする）。なお、上記乗算器２および６は、「ｃｏｓ成分」の回転因子を使用する。一方、上記乗算器３および７は「−ｓｉｎ成分」の回転因子を使用する。
【００１５】
つづいて、本実施の形態のクロック再生回路が入力信号を再生する動作を、図１および図２を用いて具体的に説明する。ここで、図２は、本実施の形態のクロック再生回路の動作を示すフローチャートである。入力信号は、並列に接続された乗算器２および３に分配される。乗算器２および３は、入力信号と偏差付回転因子とを乗算する（相関処理：ステップＳ１）。つぎに、平均化フィルタ４および５は、それぞれ、上記乗算器２および３における乗算結果を平均化し、雑音成分を除去する（平均化処理：ステップＳ２）。つぎに、乗算器６および７は、それぞれ、上記平均化フィルタ４および５の出力と偏差付回転因子とを乗算する（逆変調処理：ステップＳ３）。つぎに、加算器８は、上記乗算器６および７の出力を加算し、その出力を再生クロックとして出力端子１１から出力する（ステップＳ４）。その後、クロック再生回路は、上記処理を終了するかどうかを判断し、終了すると判断するまで、入力信号に対して上記ステップＳ１〜Ｓ４の処理を繰り返し実行する（ステップＳ１０）。
【００１６】
このように、本実施の形態においては、クロック周波数偏差δを加えた周波数の回転因子を用いてクロック再生処理を行うこととした。これにより、周波数偏差δを有する入力信号に対して高精度にクロックを再生することができる。
【００１７】
実施の形態２．
つづいて、実施の形態２の動作について説明する。図３は、本発明にかかるクロック再生回路の実施の形態２の構成例を示す図である。本実施の形態のクロック再生回路は、前述した実施の形態１のクロック再生回路（バンドパスフィルタ４１（以下、バンドパスフィルタを単に「ＢＰＦ」と記載する）と偏差付回転因子発生部９との組み合わせ）と、前述した実施の形態１のクロック再生回路の偏差付回転因子発生部９に代えて回転因子発生部１９を備えたクロック再生回路（ＢＰＦ４１ａと回転因子発生部１９との組み合わせ）と、を備え、さらに、入力端子１ａ，電力算出部３１および３１ａ，最大値検出部３２，セレクタ３３，出力端子１１ａを備えている。なお、ＢＰＦ４１ａの各構成部（２１ａ、２２ａ、２３ａ、８ａ）は、回転因子発生部１９が作成した回転因子を使用して上述した実施の形態１のクロック再生回路の各構成部（２１、２２、２３、８）と同様の処理を行う。
【００１８】
また、図４は、本実施の形態のクロック再生回路の動作を示すフローチャートである。以下、入力信号を再生する動作を、図３および図４を用いて具体的に説明する。なお、図４のステップＳ１〜Ｓ４は、ＢＰＦ４１の処理を示し、ステップＳ１１〜Ｓ１４は、ＢＰＦ４１ａの処理を示しており、ステップＳ１とＳ１１、ステップＳ２とＳ１２、ステップＳ３とＳ１３、ステップＳ４とＳ１４の各処理はそれぞれ並行して実施される。また、ステップＳ１〜Ｓ４は、前述した実施の形態１の図２に記載されているステップＳ１〜Ｓ４と同一の処理であるためその説明を省略する。ここでは、前述した実施の形態１と異なる処理について説明する。
【００１９】
ＢＰＦ４１ａの相関処理部２１ａは、回転因子発生部１９が作成した所望のクロック周波数の回転因子を使用して入力信号の相関処理を行い（ステップＳ１１）、平均化処理部２２ａは、相関処理部２１ａの出力を平均化する（ステップＳ１２）。つぎに、逆変調処理部２３ａは、平均化処理部２２ａの出力を逆変調し（ステップＳ１３）、加算器８ａは、その逆変調結果を加算し、再生クロックとして出力する（ステップＳ１４）。
【００２０】
また、電力算出部３１および３１ａは、それぞれ平均化処理部２２および２２ａの出力の同相成分と直交成分の２乗和をとり、平均化処理部２２および２２ａ出力の電力値を算出する（ステップＳ５、Ｓ１５）。なお、これらステップＳ５およびＳ１５の処理は、上記ステップＳ３，Ｓ４およびＳ１３，Ｓ１４と並行して実施される。
【００２１】
つぎに、最大値検出部３２は、電力算出部３１および３１ａの出力値（電力値）を比較し、その結果をセレクタ３３に通知する。そして、セレクタ３３は、ＢＰＦ４１または４１ａが再生したクロック信号のうち、上記電力値が大きい方の平均化処理部出力に対応するクロック信号を選択し、出力端子１１ａに出力する（ステップＳ１６）。その後、クロック再生回路は、上記処理を終了するかどうかを判断し、終了すると判断するまで、入力信号に対して上記ステップＳ１〜Ｓ５、Ｓ１１〜Ｓ１６の処理を繰り返し実行する（ステップＳ２０）。
【００２２】
なお、上記説明においては、２つのクロック再生回路が、それぞれ異なる回転因子を使用してクロック再生処理を実施し、より高精度に再生された方のクロックを再生結果として出力することとしたが、これに限らず、３つ以上のクロック再生回路が、それぞれ異なる回転因子を使用してクロック再生処理を実施することとしてもよい。それらの再生結果の中で最も高精度に再生されたクロックを再生結果として出力することにより、さらに高精度にクロックを再生することができる。
【００２３】
このように、本実施の形態においては、それぞれ異なる周波数偏差を考慮してクロック再生処理を行う複数のクロック再生回路を備え、それぞれの平均化フィルタ出力の電力値を測定し、その測定結果が最大となる場合に、入力信号にクロック周波数成分が多く含まれていると判断し、その判断結果に基づいて再生信号を選択出力することによって、入力信号のクロック周波数により近づけた形のクロック再生を実現することとした。これにより、クロック周波数の偏差が比較的小さい場合、およびクロック周波数の偏差が比較的大きい場合、いずれにおいても、高精度にクロックを再生することができる。
【００２４】
実施の形態３．
つづいて、実施の形態３の動作について説明する。図５は、本発明にかかるクロック再生回路の実施の形態３の構成例を示す図である。本実施の形態のクロック再生回路は、前述した実施の形態２のクロック再生回路の一部を含んでおり、それらの部分については同一の符号を付与し、説明を省略する。具体的には、本実施の形態のクロック再生回路は、前述した実施の形態２のクロック再生回路に含まれているＢＰＦ４１，ＢＰＦ４１ａ，偏差付回転因子発生部９，回転因子発生部１９，電力算出部３１，電力算出部３１ａを備え、さらに、ＢＰＦ４１ｂ，クロック周波数推定部６１，動的回転因子発生部６２，入力端子１ｂ，出力端子１１ｂを備えている。
【００２５】
また、図６は、本実施の形態のクロック再生回路の動作を示すフローチャートである。以下、入力信号を再生する動作を、図５および図６を用いて具体的に説明する。なお、図６のステップＳ１，Ｓ２は、ＢＰＦ４１の処理を示し、ステップＳ５は、電力算出部３１の処理を示す。一方、ステップＳ１１，Ｓ１２は、ＢＰＦ４１ａの処理を示し、ステップＳ１５は、電力算出部３１ａの処理を示しており、ステップＳ１とＳ１１、ステップＳ２とＳ１２、ステップＳ５とＳ１５の各処理はそれぞれ並行して実施される。また、ステップＳ１，Ｓ２，Ｓ５は、前述した実施の形態１の図２に記載されているステップＳ１，Ｓ２，Ｓ５と同一であり、また、ステップＳ１１，Ｓ１２，Ｓ１５は、前述した実施の形態２の図４に記載されているステップＳ１１，Ｓ１２，Ｓ１５と同一の処理であるためその説明を省略する。ここでは、前述した実施の形態１および２と異なる処理について説明する。
【００２６】
ＢＰＦ４１，電力算出部３１による処理（ステップＳ１、Ｓ２、Ｓ５）およびＢＰＦ４１ａ，電力算出部３１ａによる処理（ステップＳ１１、Ｓ１２、Ｓ１５）が実行された後、クロック周波数偏差推定部６１は、所定のアルゴリズムを使用して、上記ステップＳ５およびＳ１５による電力算出結果に基づいて入力クロックの周波数偏差を推定する（ステップＳ２１）。
【００２７】
動的回転因子発生部６２は、クロック周波数偏差推定部６１が推定した周波数偏差に基づいて動的に回転因子を作成する（ステップＳ２２）。なお、動的回転因子発生部６２において作成される回転因子は、すなわち、作成される回転因子のｃｏｓ成分，−ｓｉｎ成分は、たとえば、入力信号のサンプリング周波数をｆｓａｍｐ、所望のクロック周波数をｆｃｌｋ、上記クロック周波数偏差推定部６１が推定したクロック周波数偏差をδとすると、それぞれ（５）式，（６）式で表せる。
ｃｏｓ｛２πｎ・（ｆｃｌｋ＋δ）／ｆｓａｍｐ｝      ｎ＝０、１、２、…
…（５）
−ｓｉｎ｛２πｎ・（ｆｃｌｋ＋δ）／ｆｓａｍｐ｝      ｎ＝０、１、２、…
…（６）
【００２８】
つぎに、ＢＰＦ４１ｂは、上述した実施の形態１のクロック再生回路のクロック再生処理（図２のステップＳ１〜Ｓ４に相当）と同様に、入力信号と上記動的回転因子発生部６２が作成した回転因子とを乗算し（ステップＳ２３）、当該乗算結果に対して平均化処理を実施し（ステップＳ２４）、当該平均化処理を施された信号と上記動的回転因子発生部６２が作成した回転因子とを乗算し（ステップＳ２５）、当該乗算結果を加算した結果を再生クロックとして出力端子１１ｂへ出力する（ステップＳ２６）。その後、クロック再生回路は、上記処理を終了するかどうかを判断し、終了すると判断するまで、入力信号に対して上記ステップＳ１、Ｓ２、Ｓ５、Ｓ１１、Ｓ１２、Ｓ１５、Ｓ２１〜Ｓ２６の処理を繰り返し実行する（ステップＳ３０）。
【００２９】
なお、上記説明においては、２つのクロック再生回路が、それぞれ異なる回転因子を使用して入力信号の処理を行い、クロック周波数偏差推定部６１は、当該処理結果（信号の電力値）に基づいて周波数偏差を推定することとしたが、これに限らず、３つ以上のクロック再生回路の処理結果に基づいて周波数偏差を推定することとしてもよい。
【００３０】
つづいて、上記クロック周波数偏差推定部６１が行う入力クロックの周波数偏差推定処理（ステップＳ２１）のアルゴリズムの一例を具体的に説明する。図７は、シンボルレート８ＭＨｚのシステムが本実施の形態のクロック再生回路を利用する場合の回転因子周波数（入力信号の周波数）、クロック周波数偏差、電力算出部の出力値の関係の一例を示す図であり、周波数偏差を推定するための情報（信号の電力値）を取得するために必要な信号再生部（ＢＰＦと回転因子発生部との組み合わせ）および電力算出部を５組備えている場合の例である。
【００３１】
図７に示されている各電力算出部の出力値によれば、入力クロックの周波数偏差は「＋１０％」と「＋２０％」との間にあると推測することができ、さらに、周波数偏差が「＋１０％」および「＋２０％」のいずれの場合の電力出力値もほぼ同じであるから、入力クロックの周波数偏差は、「＋１５％」付近であると推測できる。したがって、図７に示された例の場合、動的回転因子発生部６２は、上記推定値の「＋１５％」に基づいて回転因子を作成する。
【００３２】
つづいて、上記一例とは異なる、上記クロック周波数偏差推定部６１が行う入力クロックの周波数偏差推定処理（ステップＳ２１）のアルゴリズムについて説明する。上記で説明した入力クロックの周波数偏差推定処理のアルゴリズムに次のような処理を加えることにより、クロック周波数偏差推定部６１における周波数偏差の推定精度を向上させることができる。なお、図８は、周波数偏差の推定精度を向上させる処理を行う際に使用する回転因子周波数およびクロック周波数偏差の関係の一例を示す図である。
【００３３】
たとえば、上記で説明した周波数偏差推定処理のアルゴリズムでは、周波数偏差が＋１０〜＋２０％の間にあると推測されたため、上記５組の信号再生部に含まれる回転因子発生部が使用している回転因子を、それぞれ図８に示された回転因子周波数に対して使用する回転因子に変更する。なお、当該回転因子の変更処理は、たとえば、上記クロック周波数推定部６１または動的回転因子発生部６２が行うこととする。そして、クロック再生回路は、これら変更された回転因子を使用して、さらに、前述した周波数偏差の推定処理を実施することにより、入力クロックの周波数偏差が図８に示されるクロック周波数偏差のいずれの値に近似しているのかを判定することができる。
【００３４】
また、さらに同様の処理を繰り返し実施することにより、段階的に回転因子の周波数分解能を高め、所望のクロック周波数偏差の値に近づけながらクロック再生を行うことができる。なお、この例では、信号再生部および電力算出部を５組備えていることとしたが、５組以外の場合であっても同様の処理を行うことにより周波数偏差の推定が可能である。また、上記において、同時に（並行して）複数の信号再生部および電力算出部で実施している処理を、１組の信号再生部および電力算出部を用いて５種類の処理を切り替えながら時系列的に実施することとしてもよい。
【００３５】
このように、本実施の形態においては、入力クロックの周波数偏差を推定する手段を設け、この推定結果に基づいて動的に回転因子を作成することとした。これにより、入力クロックの周波数偏差がクロック再生処理に与える影響を抑えることができ、さらに高精度にクロックを再生することができる。
【産業上の利用可能性】
【００３６】
以上のように、本発明にかかるクロック再生回路およびクロック再生方法は、復調装置に有用であり、特に、入力信号から所望のクロック信号成分を再生する機能を有する復調装置に適している。
【図面の簡単な説明】
【００３７】
【図１】本発明にかかるクロック再生回路の実施の形態１の構成例を示す図である。
【図２】本発明にかかるクロック再生回路の実施の形態１の動作を示すフローチャートである。
【図３】本発明にかかるクロック再生回路の実施の形態２の構成例を示す図である。
【図４】本発明にかかるクロック再生回路の実施の形態２の動作を示すフローチャートである。
【図５】本発明にかかるクロック再生回路の実施の形態３の構成例を示す図である。
【図６】本発明にかかるクロック再生回路の実施の形態３の動作を示すフローチャートである。
【図７】回転因子周波数、クロック周波数偏差、電力値の関係の一例を示す図である。
【図８】回転因子周波数、クロック周波数偏差の関係の一例を示す図である。
【図９】従来のクロック再生回路のブロック構成を示す図である。
【符号の説明】
【００３８】
１，１ａ，１ｂ  入力端子
２，３，６，７  乗算器
４，５  平均化フィルタ
８，８ａ  加算器
９  偏差付回転因子発生部
１１，１１ａ，１１ｂ  出力端子
１９  回転因子発生部
２１，２１ａ  相関処理部
２２，２２ａ  平均化処理部
２３，２３ａ  逆変調処理部
３１，３１ａ  電力算出部
３２  最大値検出部
３３  セレクタ
４１，４１ａ，４１ｂ  バンドパスフィルタ
６１  クロック周波数推定部
６２  動的回転因子発生部
【図１】
0004602170.tif 000002
【図２】
0004602170.tif 000003
【図３】
0004602170.tif 000004
【図４】
0004602170.tif 000005
【図５】
0004602170.tif 000006
【図６】
0004602170.tif 000007
【図７】
0004602170.tif 000008
【図８】
0004602170.tif 000009
【図９】
0004602170.tif 000010